(57)【特許請求の範囲】
【請求項１】
受診者情報が記憶された記憶媒体と通信可能な情報処理装置であって、
前記記憶媒体と通信を行う通信手段と、
前記通信手段による通信により、前記記憶媒体から受診者情報を取得する受診者情報取得手段と、
前記受診者情報取得手段による受診者情報の取得からの経過時間を計測する計測手段と、
を備え、
前記通信手段は、前記計測手段により計測された時間が予め設定された時間を経過した後に、再度記憶媒体と通信を行うことを特徴とし、
前記通信手段による、前記計測手段により計測された時間が予め設定された時間を経過した後の通信が可能である場合に、当該記憶媒体に記憶された受診者情報に受診済みである旨を登録する登録手段を備えることを特徴とする情報処理装置。
【請求項２】
前記登録手段は、前記受診者情報取得手段により取得した受診者情報が記憶された記憶媒体と、前記計測手段により計測された時間が予め設定された時間を経過した後に通信をした記憶媒体とが同一である場合に、当該記憶媒体に記憶された受診者情報に受診済みである旨を登録することを特徴とする請求項１に記載の情報処理装置。
【請求項３】
操作者による登録指示を受け付ける登録指示受付手段をさらに備え、
前記登録手段は、前記登録指示受付手段により操作者から登録指示を受け付けた場合には、前記計測手段により計測された時間に関わらず、前記記憶媒体に記憶された受診者情報に受診済みである旨を登録することを特徴とする請求項１または２に記載の情報処理装置。
【請求項４】
受診者情報が記憶された記憶媒体と通信可能な情報処理装置における情報処理方法であって、
前記情報処理装置の通信手段が、前記記憶媒体と通信を行う通信工程と、
前記情報処理装置の受診者情報取得手段が、前記通信工程における通信により、前記記憶媒体から受診者情報を取得する受診者情報取得工程と、
前記情報処理装置の計測手段が、前記受診者情報取得工程による受診者情報の取得からの経過時間を計測する計測工程と、
を備え、
前記通信工程は、前記計測工程において計測された時間が予め設定された時間を経過した後に、再度記憶媒体と通信を行うことを特徴とし、
前記情報処理装置の登録手段が、前記通信工程における、前記計測工程において計測された時間が予め設定された時間を経過した後の通信が可能である場合に、当該記憶媒体に記憶された受診者情報に受診済みである旨を登録する登録工程を備えることを特徴とする情報処理方法。
【請求項５】
受診者情報が記憶された記憶媒体と通信可能な情報処理装置において実行可能なプログラムであって、
前記情報処理装置を、
前記記憶媒体と通信を行う通信手段と、
前記通信手段による通信により、前記記憶媒体から受診者情報を取得する受診者情報取得手段と、
前記受診者情報取得手段による受診者情報の取得からの経過時間を計測する計測手段として機能させ、
前記通信手段を、前記計測手段により計測された時間が予め設定された時間を経過した後に、再度記憶媒体と通信を行う手段として機能させ、
前記情報処理装置を、前記通信手段による、前記計測手段により計測された時間が予め設定された時間を経過した後の通信が可能である場合に、当該記憶媒体に記憶された受診者情報に受診済みである旨を登録する登録手段として機能させることを特徴とするプログラム。
【発明の詳細な説明】
【技術分野】
【０００１】
本発明は、出張健診などの健康診断における受診者の受信状況を把握する技術に関する。
【背景技術】
【０００２】
現在、学校や会社等に医師や看護師等（以下、「測定者」という）が出張して健康診断を行う、いわゆる出張健診が一般的に行われている。
【０００３】
従来の出張健診では、測定者が行った健診結果（健診情報）を健康診断票（紙）に記載していたが、近年、情報収集の効率化のため、健康診断票（紙）の代わりにＩＣカード等の携帯可能な記録装置を用いている（例えば特許文献１参照）。
【特許文献１】特開平１１−２１３０６１号公報
【発明の開示】
【発明が解決しようとする課題】
【０００４】
上述した出張健診などの健康診断においては、受診者は複数の健診項目を受診することが必要であり、各健診項目については自由な順番で受診することが可能である。
【０００５】
このような複数の健診項目を自由な順番で受診することができる仕組みの場合は、受診者が受診済みの健診項目と未受診の健診項目とをそれぞれ把握していなければならない。しかし、受診者によっては受診済みか否かを忘れてしまい、重複して受診したり、受診漏れが発生することがある。
【０００６】
特に、検査結果（測定結果）がその場では分からない健診項目（内科診察や血液検査など）においては、結果は記録せず受診したか否かを記録するのみであるため、記録漏れのおそれが高い。そのため、健診項目の受診漏れをなくすために、受診済みであるか否かを確実に登録する仕組みが必要である。
【０００７】
そこで、本発明は、受診者が各健診項目において、当該健診項目を受診したか否かを簡易に登録することが可能な仕組みを提供することを目的とする。
【課題を解決するための手段】
【０００８】
本発明は、受診者情報が記憶された記憶媒体と通信可能な情報処理装置であって、前記記憶媒体から受診者情報を取得する受診者情報取得手段と、前記受診者情報取得手段で受診者情報を取得してからの経過時間を計測する計測手段と、前記計測手段により計測された時間が、予め設定された時間を経過した場合に、前記記憶媒体に、当該受診者を受診済みとして登録する登録手段と、を備えることを特徴とする。
【０００９】
また、本発明は、受診者情報が記憶された記憶媒体と通信可能な情報処理装置における情報処理方法であって、前記情報処理装置の受診者情報取得手段が、前記記憶媒体から受診者情報を取得する受診者情報取得工程と、前記情報処理装置の計測手段が、前記受診者情報取得工程で受診者情報を取得してからの経過時間を計測する計測工程と、前記情報処理装置の登録手段が、前記計測工程により計測された時間が、予め設定された時間を経過した場合に、前記記憶媒体に、当該受診者を受診済みとして登録する登録手段と、を備えることを特徴とする。
【００１０】
また、本発明は、受診者情報が記憶された記憶媒体と通信可能な情報処理装置において実行可能なプログラムであって、前記情報処理装置を、前記記憶媒体から受診者情報を取得する受診者情報取得手段と、前記受診者情報取得手段で受診者情報を取得してからの経過時間を計測する計測手段と、前記計測手段により計測された時間が、予め設定された時間を経過した場合に、前記記憶媒体に、当該受診者を受診済みとして登録する登録手段として機能させることを特徴とする。
【発明の効果】
【００１１】
本発明によれば、受診者が各健診項目において、当該健診項目を受診したか否かを簡易に登録することが可能な仕組みを提供することが可能となる。
【図面の簡単な説明】
【００１２】
【図１】健診情報システムのシステム構成を概略的に示すブロック図である
【図２】図１における各種端末のハードウェア構成を概略的に示すブロック図である
【図３】受付端末１００が実行する受付処理の手順を示すフローチャートである
【図４】各健診工程端末が実行する制御処理の手順を示すフローチャートである
【図５】健診工程端末が自動登録処理を示すフローチャートである
【図６】管理端末１５０が実行する回収処理の手順を示すフローチャートである
【図７】図６のステップＳ６１６における料金計算処理の詳細手順を示すフローチャートである
【図８】自動登録処理を実行するまでの時間を記憶するテーブルを示す図である
【図９】記録媒体１６０に記録される健診結果を示す図である
【図１０】図５のステップＳ５０１において健診工程端末に表示される画面の一例を示す図である
【図１１】図５のステップＳ５０５、Ｓ５１２において健診工程端末に表示される画面の一例を示す図である
【図１２】図１における各健診工程端末に記録される関連付情報ファイルの一例を説明するためのテーブルである
【図１３】図１における各健診工程端末に記録される関連付情報ファイルの一例を説明するためのテーブルである
【図１４】図１における受付端末１００に表示される受付入力画面の一例を示す図である
【図１５】図４のステップＳ４０１において健診工程端末に表示される初期メニュー画面の一例を示す図である
【図１６】管理端末に表示される受診済みか否かの判定結果を示す画面の一例を示す図である
【図１７】図１における受付端末が外部から読み込む健診工程情報の一例を示す図である
【図１８】図１における健診機器の限界値（第１の閾値）を示す図である
【図１９】健診基本料金と健診項目ごとの追加料金を示す料金テーブルの一例を示す図である
【発明を実施するための形態】
【００１３】
以下、本発明の実施の形態について図面を参照しながら説明する。
【００１４】
まず、本発明の実施の形態に係る健診情報処理システムについて説明する。
【００１５】
図１は、本実施の形態に係る健診情報処理システムのシステム構成を概略的に示すブロック図である。
【００１６】
図１において、１００は受付端末である。受付端末１００は、ハンディターミナルやノート型パーソナルコンピュータ等の情報処理装置であり、本体にＲＦ−ＩＤのリーダ／ライタ等の入力装置２０９（図２）が着脱可能に接続されている。なお、上記入力装置２０９（図２）は本体に内蔵されていても良い。
【００１７】
また、受付端末１００には、不図示のバーコードリーダが接続されている。そして、受付端末１００のＲＡＭ２０２（図２）には、受診者の受診者ＩＤ、健診番号、氏名、性別、年齢、生年月日を含む受診者情報を記憶する受診者一覧情報と、上記バーコードリーダが読み取った画像ファイル中のバーコードを識別して文字データに変換するプログラムと、後述する受付処理プログラムとが記憶されている。
【００１８】
管理端末１５０は、受付端末１００と同様に、ハンディターミナルやノート型パーソナルコンピュータ等の情報処理装置であり、本体にＲＦ−ＩＤのリーダ／ライタ等の入力装置２０９（図２）が着脱可能に接続されている。また、管理端末のＲＡＭ２０２（図２）には、健診結果ファイル（不図示）と、後述する回収処理プログラムとが記憶されている。
【００１９】
健診工程端末Ａ（１１１）〜Ｎ（１２９）（健診情報処理装置）のＲＡＭ２０２（図２）には、制御プログラムと、健診工程の処理プログラムと、各プログラムで使用する画面情報（ディスプレイ装置２１０に図１０、図１１等の画面を表示するためのデータであり、各プログラムの中に含めても良い）と、図１２、図１３に示すメニューと各処理プログラムとを関連付けるための関連付情報ファイルと、各健診機器の機器設定情報（健診工程端末Ａ（１１１）〜Ｎ（１２９）の設定情報）と、各健診機器とのデータのやり取りに用いられる通信プログラム（Ｂｌｕｅｔｏｏｔｈ（登録商標）、ＩｒＤＡ、ＴＳＰ／ＩＰ等の各通信手順やプロトコルに対応した通信プログラム）とが記憶されている。
【００２０】
なお、上記各通信プログラムの少なくとも一部をオペレーションシステムに含めてもよい。
【００２１】
各健診工程端末には、同一のプログラム（制御プログラム、健診工程の処理プログラム、通信プログラム及びこれらプログラム用の画面情報や関連付情報ファイル）と全健診機器の機器設定情報とが記憶されているので、メニューで特定の健診工程（例えば血液検査）を選択するだけで任意の健診工程端末を任意の健診工程において使用することができる。
【００２２】
健診機器Ａ（１１０）〜Ｎ（１２８）は、健診に使用するＸ線撮影装置や血圧計、心電図測定機等の各種検査機器であり、健診工程端末Ａ（１１１）〜Ｎ（１２９）とのデータのやり取りを可能にする外部インタフェース（例えばＢｌｕｅｔｏｏｔｈやＩｒＤＡ等）を備えている。
【００２３】
また、健診機器Ａ（１１０）〜Ｎ（１２８）は、健診工程端末Ａ（１１１）〜Ｎ（１２９）と有線のケーブル（ＵＳＢやＩＥＥＥ１３９４、パラレル転送用ケーブル等）で接続しても良く、ピアツーピアやＴＣＰ／ＩＰ、ＦＴＰ等で通信しても良い。
【００２４】
記録媒体１６０は、各受診者が持ち運んで受診者情報（例えば受診者ＩＤ、健診番号、氏名、性別、年齢、生年月日）や各健診工程の検査データや通過データを記録するための媒体であり、例えばＲＦ−ＩＤやＩＣカード、各種メモリカードを含むが、これらに限られずおよそデータの記憶／更新が可能で持ち運びが可能な程度に小型な記録媒体（例えばＵＳＢメモリ等）であれば良い。
【００２５】
また、以下の説明では、記録媒体１６０内にコントローラ（図示しない）を有するものとしているが、記録媒体１６０内にコントローラを有さずに、各入力装置２０９から指定されたアドレスに指定されたデータを記憶し、あるいは更新できる構成を有してもよい。
【００２６】
なお、図１について、健診機器Ａ（１１０）と健診工程端末Ａ（１１１）のように２つが実線で結ばれている場合は、両者がケーブル（有線）で接続されていることを意味し、健診機器Ｂ（１１２）と健診工程端末Ｂ（１１３）のように２つが破線で結ばれている場合には両者が無線や赤外線で接続されていることを意味し、健診機器Ｃ（１１４）と健診工程端末Ｃ（１１５）のように２つが結ばれていない場合には、両者が接続されておらず、健診機器Ｃの測定結果を健診工程端末Ｃ１１５に手入力する場合を示している。
【００２７】
以下、本発明の情報処理システムを構成する各装置について説明する。
【００２８】
以下、図２を用いて、図１に示した各種端末（受付端末、各健診工程端末、管理端末）に適用可能な情報処理装置のハードウエア構成の一例について説明する。
【００２９】
図２において、２０１はＣＰＵで、システムバス２０４に接続される各デバイスやコントローラを統括的に制御する。また、ＲＯＭ２０３あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な各種プログラム等が記憶されている。
【００３０】
２０２はＲＡＭで、ＣＰＵ２０１の主メモリ、ワークエリア等として機能する。ＣＰＵ２０１は、処理の実行に際して必要なプログラム等をＲＯＭ２０３あるいは外部メモリ２１１からＲＡＭ２０２にロードして、該ロードしたプログラムを実行することで各種動作を実現するものである。
【００３１】
また、２０５は入力コントローラで、入力装置２０９等からの入力を制御する。２０６はビデオコントローラで、液晶ディスプレイ等のディスプレイ装置２１０への表示を制御する。なお、ディスプレイ装置は、液晶ディスプレイに限られず、ＣＲＴディスプレイなどであっても良い。これらは必要に応じてクライアントが使用するものである。
【００３２】
２０７はメモリコントローラで、ブートプログラム，各種のアプリケーション，フォントデータ，ユーザファイル，編集ファイル，各種データ等を記憶するハードディスク（ＨＤ）や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００３３】
２０８は通信Ｉ／Ｆコントローラで、ネットワーク（例えば、図１に示したＬＡＮ４００）を介して外部機器と接続・通信するものであり、ネットワークでの通信制御処理を実行する。例えば、ＴＣＰ／ＩＰを用いた通信等が可能である。
【００３４】
なお、ＣＰＵ２０１は、例えばＲＡＭ２０２内の表示情報用領域へアウトラインフォントの展開（ラスタライズ）処理を実行することにより、ディスプレイ装置２１０上での表示を可能としている。また、ＣＰＵ２０１は、ディスプレイ装置２１０上の不図示のマウスカーソル等でのユーザ指示を可能とする。
【００３５】
ハードウエア上で動作する各種プログラムは、外部メモリ２１１に記録されており、必要に応じてＲＡＭ２０２にロードされることによりＣＰＵ２０１によって実行されるものである。
【００３６】
プリンタコントローラ２１２は、サーマルドットライン方式プリンタ２１３等の印刷機を制御する。
【００３７】
スキャナコントローラ２１４は、スキャナ２１５等の識別器を制御する。
【００３８】
なお、全ての装置がこれらの構成を備えているわけではなく、必要なものを夫々備えていればよい。
【００３９】
次に図１における受付端末１００が実行する受付処理について説明する。
【００４０】
図３は、図１における受付端末が実行する受付処理の手順を示すフローチャートである。なお、本処理は、受付端末１００のＣＰＵ２０１が所定の制御プログラムを読み出して実行することにより実現される（すなわち、受付端末１００のＣＰＵ２０１の制御の元で実行される）処理に対応する。
【００４１】
図３において、まず、受付端末１００のＣＰＵ２０１は、受付端末１００のディスプレイ装置２１０に図１４に示すような受付入力画面を表示し（ステップＳ３０１）、表示された受付入力画面の健診工程情報読込ボタン１７０１が押下されることにより健診工程情報（図１７）の読み込みが指示されると（ステップＳ３０２）、外部から受信した、あるいは受付端末１００が備えるＵＳＢ端子に挿入されたＵＳＢメモリから当日の受診者の受診者ＩＤ、健診番号、氏名、性別、年齢、生年月日等の受診者情報と、受診者ＩＤ毎に受診しなければならない健診科目が設定された健診工程を示す情報（健診工程情報）とを読み込んで、メモリ等に記憶する（ステップＳ３０３）。
【００４２】
図１７は、健診工程情報の一例であり、全ての受診者ＩＤや氏名、受診者ＩＤ毎の受診しなければならない健診科目（例えば、身長・体重、血圧、腹囲、視力等）が設定されている。すなわち、予め設定された全ての健診科目のうち、受診者が受診する健診科目と受診しない健診科目と受診が未確定の健診科目とを示す情報が、受診者毎（受診者ＩＤ毎）に設定されている。
【００４３】
また、図１７に示す健診工程情報には、例えば、「身長・体重」、「血圧」、「腹囲」、「視力」の順序で受診者に受診させるというような受診順序情報が設定されていても良い。
【００４４】
図３に戻り、次いで、図１４に示す受付入力画面の受診票スキャンボタン１７０２が押下されることにより受診票スキャンが指示されると（ステップＳ３０４）、受付端末１００のＣＰＵ２０１は、受付端末１００に接続されたスキャナを読込可能な状態に制御する。
【００４５】
そして、各受診者が予め記入して持参した受診票（各受診者が自覚症状等を記入する一種の問診票）がスキャナにセットされ、該受診票の読み込み指示がなされると、受付端末１００のＣＰＵ２０１は、該受診票をスキャンして、受付端末１００のバーコード認識プログラムにより該受診票に予め印刷された一意のバーコードを認識してテキストデータ（受診者ＩＤ）に変換し、記憶領域に記憶する（ステップＳ３０５）。なお、上記スキャナはバーコードリーダであってもよい。
【００４６】
次いで、受付端末１００のＣＰＵ２０１は、上記受診票をスキャンすることで得られた受診者ＩＤとステップＳ３０３で記憶した健診工程情報に含まれる受診者ＩＤとを照合して、受診者ＩＤが健診工程情報中に存在するか否かを判別する（ステップＳ３０６）。
【００４７】
ステップＳ３０６の判別の結果、受診者ＩＤが健診工程情報中に存在しないときは（ステップＳ３０６：ＮＯ）、エラーメッセージをディスプレイ装置２１０に表示して（ステップＳ３０９）、ステップＳ３０４の処理へ戻り、再度、受診票を読み込む処理を実行する。
【００４８】
ステップＳ３０６の判別の結果、受診者ＩＤが健診工程情報中に存在するときは（ステップＳ３０６：ＹＥＳ）、受付端末１００のＣＰＵ２０１は、該当する受診者ＩＤに対応する健診工程情報を読み出し、ＲＡＭ２０２に記憶する（ステップＳ３０７）。
【００４９】
例えば、上記受診票をスキャンすることで得られた受診者ＩＤが「１」であった場合、図１７に示す健診工程情報の受診者ＩＤを検索すると、受診者ＩＤが「１」のレコードがヒットする。そして、当該レコードから受診者ＩＤが「１」、氏名が「田中」、受診しなければならない健診科目が、「身長・体重」、「血圧」であり、受診予定が未確定の健診科目が「視力」と「心電」であり、受診しなくてよい健診科目が「腹囲」である旨のデータ（健診工程情報）を取得する。
【００５０】
そして、当該健診工程情報を記録媒体１６０に送信して（ステップＳ３０８）、本処理を終了する。
【００５１】
なお、記録媒体１６０のコントローラは、ステップＳ３０８で受診票に対応したユーザ（受診者）の健診工程情報のみを受信すると、該受信した健診工程情報を記録媒体１６０の不図示の記憶部に書き込む（記憶する）。このようにして、受診者の健診工程情報を記録媒体に記憶することが出来る。
【００５２】
次に、図１における各健診工程端末が実行する制御処理（健診機器と健診工程端末とを対応付ける処理）について説明する。
【００５３】
図４は、図１における各健診工程端末が実行する制御処理（健診機器と健診工程機器とを対応付ける処理）の手順を示すフローチャートである。なお、本処理は、各健診工程端末（健診工程端末Ａ（１１１）〜Ｎ（１２９））のＣＰＵ２０１が所定の制御プログラムを読み出して実行することにより実現される（すなわち、健診工程端末のＣＰＵ２０１の制御のもとで実行される）処理に対応する。また、以下では、健診工程端末Ａ１１１が実行する制御処理について説明するが、他の健診工程端末においても同様の処理が実行される。
【００５４】
図４において、まず、健診工程端末Ａ１１１の電源がオンにされて健診工程端末Ａ１１１が起動されると、健診工程端末Ａ１１１のＣＰＵ２０１は、図１５に示すような健診システムメニューを初期メニュー画面としてディスプレイ装置２１０に表示する（ステップＳ４０１）。具体的には、ＣＰＵ２０１は、図１２に示すような関連付け情報ファイルをから読み出して、該読み出した関連付け情報ファイル内のメニュー情報（メニューＮｏ、メニュー名等）に基づいて図１５に示す健診システムメニューを表示するように制御する。
【００５５】
図１２は、関連付け情報ファイルの一例であり、図１２に示すように関連付情報ファイルは、メニューＮｏ、メニュー名、メニューを選択した場合に実行する処理プログラム名、健診機器の設定情報を記録した機器設定情報ファイル名等の情報を含む。
【００５６】
図１５は、健診工程端末の初期メニュー画面の一例である。図１５の初期メニュー画面における各種設定ボタンが押下されると、サブメニュー（不図示）が表示される。そして、表示されたサブメニューにて入力や編集が行われる事で、ＢｌｕｅｔｏｏｔｈやＩｒＤＡ等の各種通信手順の設定や新たな健診機器の設定ファイルの読み込み等を実行することができ、これらの各設定データはＲＡＭ２０２に記憶される。
【００５７】
図４に戻り、各健診工程のプログラムを起動するためのタッチボタンである図１５に示す健診システムメニューの「１．視力検査」〜「１１．癌簡易検査」のいずれかのボタン（例えば「１０、身長・体重」ボタン）が押下されて、選択ボタンのボタンが押下されることによりメニューが選択されると（ステップＳ４０２）、選択されたメニューに対応するプログラム名「ｐｒｏｈｉｇｗｅｉ」が実行される（図１２）。
【００５８】
次いで、健診工程端末Ａ１１１のＣＰＵ２０１は、ＲＡＭ２０２に記憶されている関連付け情報ファイルに図１３に示すように同一選択されたメニューに対して複数のメニューＮｏ（１−１と１−２）が存在するか否かを判別する（ステップＳ４０３）。図１３は、関連付け情報ファイルの他の例である。
【００５９】
ステップＳ４０３の判別の結果、複数のメニューＮｏが存在するとき（ステップＳ４０３：ＹＥＳ）、つまり例えばメニューＮｏに枝番が付いている場合は、この複数の機器情報ファイルに対応する機器情報ファイル名から機器名称を読み出して不図示の画面に表示し（ステップＳ４０４）、複数のうちの一つがタッチにより選択されると（ステップＳ４０５）、処理をステップＳ４０６に進める。
【００６０】
ステップＳ４０３の判別の結果、複数のメニューＮｏが存在しないときは（ステップＳ４０３：ＮＯ）、そのまま処理をステップＳ４０６に進める。
【００６１】
次いで、ステップＳ４０６では、選択されたメニューＮｏ（及び機器）に基づいて、ＲＡＭ２０２に記憶されている図１２又は図１３に示す関連付け情報ファイルの選択されたメニューＮｏに該当する機器設定情報ファイル名をＲＡＭ２０２等のワークエリアに読み込む。例えば、関連付け情報ファイルが図１２に示す内容であり、「１０．身長・体重」が選択された場合は、健診工程端末Ａ１１１のＣＰＵ２０１は、選択に応じて機器設定情報ファイル「ｆａｓｈｉｇｗｅｉ」及び対応する処理プログラム名「ｐｒｏｈｉｇｗｅｉ」を読み込む。
【００６２】
次いで、ステップＳ４０７では、予め設定された全ての健診項目のうち、ステップＳ４０２で選択されたメニューに対応し、かつ、ステップＳ４０５で選択された機器に対応する第１の閾値を第１の閾値テーブル（図１８）から取得する（ステップＳ４０７）。具体的には、ステップＳ４０５で選択された機器に対応する第１の閾値テーブル（図１８）から、ステップＳ４０２で「身長・体重」が選択されると、第１の閾値として、「上限：２５０、下限：０」のみを取得する。
【００６３】
なお、第１の閾値は、健診機器における限界値が設定されたテーブルであり、第１の閾値を超える値が計測された場合は、当該測定値はエラーであると判断出来る。
【００６４】
次いで、健診工程端末Ａ１１１のＣＰＵ２０１は、ステップＳ４０６で読み込んだプログラム名のプログラムを実行し（ステップＳ４０８）、処理プログラム画面（測定結果を表示する画面）をディスプレイ装置２１０に表示して（ステップＳ４０９）、本処理を終了する。
【００６５】
本処理におけるステップＳ４０８では、ステップＳ４０２で「３．血圧検査」が選択されると、処理プログラム名「ｐｒｏｂｌｄｐｒｓ」を実行し、ステップＳ４０９では図１６に示すような血圧測定の結果を表示するための画面をディスプレイ装置２１０に表示する。
【００６６】
図４の制御処理によれば、健診工程端末において操作者が選択したメニューに対応する処理プログラムが実行されて、所望の健診工程における処理を実行できる。すなわち、どの健診項目の測定値を受け付けるのかを設定することができる。
【００６７】
次に、本実施の形態に係る健診情報処理システムが実行する健診情報処理について説明する。
【００６８】
次に、図５を用いて、本発明の実施形態において健診工程端末が行う処理について説明する。
【００６９】
なお、図５のフローチャートで示す処理については、健診工程端末のＣＰＵ２０１が所定の制御プログラムを読み出して実行する処理である。
【００７０】
ステップＳ５０１では、健診工程端末Ａ１１１のＣＰＵ２０１は、入力装置２０９による記録媒体１６０（ＩＣカード等の記憶媒体）の検知を待機する。
【００７１】
ステップＳ５０２では、健診工程端末Ａ１１１のＣＰＵ２０１は、入力装置２０９により記録媒体１６０が検知されたか否かを判断する。
【００７２】
検知したと判断した場合（ステップＳ５０２：ＹＥＳ）は、処理をステップＳ５０３に移行する。なお、検知したと判断された場合は、検知されてからの経過時間の計測を開始する。
【００７３】
検知していない場合（ステップＳ５０２：ＮＯ）は、処理をステップＳ５０１に戻し、引き続き記録媒体１６０を検知するまで待機する。
【００７４】
ステップＳ５０３では、健診工程端末Ａ１１１のＣＰＵ２０１は、ステップＳ５０２で検知した記録媒体１６０に記憶された情報（一例として図９に示す情報）を、当該記録媒体１６０から取得する。
【００７５】
ステップＳ５０４では、健診工程端末Ａ１１１のＣＰＵ２０１は、ステップＳ５０３で読み込んだ情報から、以前の受診者と同一の受診者であるか否かを判断する。
同一であるか否かについては、例えばステップＳ５０３で取得した受診者情報に、当該健診項目を受診済みである旨の情報が含まれている場合には、同一の受診者であると判断される。
【００７６】
同一であると判断された場合（ステップＳ５０４：ＹＥＳ）は、処理をステップＳ５１１に移行する。
【００７７】
同一ではないと判断された場合（ステップＳ５０４：ＮＯ）は、処理をステップＳ５０５に移行する。
【００７８】
ステップＳ５０５では、健診工程端末Ａ１１１のＣＰＵ２０１は、ステップＳ５０３で読み込んだ情報から、ユーザ情報を抽出し、当該ユーザ情報を表示する。ユーザ情報が表示された画面の一例を図１１に示す。
【００７９】
ステップＳ５０６では、健診工程端末Ａ１１１のＣＰＵ２０１は、ステップＳ５０５で表示された画面上の登録ボタンが操作者により押下されたか否かを判断する。
【００８０】
登録ボタンが押下された場合（ステップＳ５０６：ＹＥＳ）は、処理をステップＳ５０８に移行する。
【００８１】
登録ボタンが押下されていない場合（ステップＳ５０６：ＮＯ）は、処理をステップＳ５０７に移行する。
【００８２】
ステップＳ５０７では、健診工程端末Ａ１１１のＣＰＵ２０１は、ステップＳ５０２で記録媒体１６０が検知されてから予め設定された時間が経過したか否かを判断する。具体的には、ステップＳ５０２で記録媒体１６０が検知した際に開始した計測を始めた時間が、図８に示すテーブルに登録された時間に達したか否かにより判断する。
【００８３】
ステップＳ５０７で所定時間が経過したと判断された場合（ステップＳ５０７：ＹＥＳ）は、処理をステップＳ５０８に移行する。
【００８４】
所定時間が経過してない場合（ステップＳ５０７：ＮＯ）は、処理をステップＳ５０６に戻し、登録ボタンの押下または所定時間の経過があるまで、ステップＳ５０６〜Ｓ５０７の処理を繰り返す。
【００８５】
ステップＳ５０８では、健診工程端末Ａ１１１のＣＰＵ２０１は、ステップＳ５０１で検知した記録媒体１６０と同一の記録媒体１６０と通信が可能であるかを判断する。
【００８６】
通信が可能であると判断された場合（ステップＳ５０８：ＹＥＳ）は、処理をステップＳ５０９に移行する。
【００８７】
通信が不可能であると判断された場合（ステップＳ５０８：ＮＯ）は、処理をステップＳ５１０へ移行する。
なお、通信が不可能である場合とは、物理的に記録媒体１６０と健診工程端末Ａ１１１とが通信出来ない場合や、通信は可能であるがステップＳ５０１で検知した記録媒体１６０とは異なる記録媒体１６０との通信が行われた場合などである。
【００８８】
ステップＳ５０９では、健診工程端末Ａ１１１のＣＰＵ２０１は、健診を受診済みであることを記録媒体１６０に記録する。具体的には、記録媒体１６０に記憶されている健診結果テーブル（一例として図９）に登録される。
【００８９】
ステップＳ５１０では、健診工程端末Ａ１１１のＣＰＵ２０１は、エラー画面を表示する。
【００９０】
次に、ステップＳ５０４において、入力装置２０９が検知した記録媒体１６０が、前回の受診者と同一の受診者であると判断された場合について説明する。
【００９１】
ステップＳ５１１では、健診工程端末Ａ１１１のＣＰＵ２０１は、画面上にある再登録ボタンが押下されたか否かを判断する。
【００９２】
すなわち、ステップＳ５０４において前回の受診者と同一の受診者であると判断された場合は、現時点までに既に受診済みである受診者であるため、既に登録処理が実施されている。そのため、再度登録処理を実施するか否かを判断するために、再登録ボタンが押下されたか否かを判断する。
【００９３】
再登録ボタンが押下されていない場合（ステップＳ５１１：ＮＯ）は、再登録は行わないため、処理をステップＳ５０１に戻す。
【００９４】
例えば、登録処理が既に実施済みであるが、意図しない検知により記録媒体１６０の情報を取得してしまった場合などが考えられる。
【００９５】
なお、記録媒体１６０を検知してから予め設定された時間が経過した場合には、再登録しないと判断して、処理をステップＳ５０１に戻すよう制御しても良い。
【００９６】
再登録ボタンが押下された場合（ステップＳ５１１：ＹＥＳ）は、処理をステップＳ５１２に移行する。
【００９７】
ステップＳ５１２では、健診工程端末Ａ１１１のＣＰＵ２０１は、ステップＳ５０３で読み込んだ情報から、ユーザ情報を抽出し、当該ユーザ情報を表示する。ユーザ情報が表示された画面の一例を図１１に示す。
【００９８】
ステップＳ５１３では、健診工程端末Ａ１１１のＣＰＵ２０１は、ステップＳ５１２で表示された画面上の登録ボタンが押下されたか否かを判断する。
【００９９】
登録ボタンが押下された場合（ステップＳ５１３：ＹＥＳ）は、処理をステップＳ５０８に移行する。
【０１００】
登録ボタンが押下されていない場合（ステップＳ５１３：ＮＯ）は、登録ボタンが押下されるまで待機する。
【０１０１】
なお、同一カードの場合は、所定時間の経過による自動登録処理は行わない。これは、意図しない検知の際に自動的に誤った情報が登録されてしまう事を防ぐためである。
【０１０２】
以上の処理により、登録ボタンの押下がされなくても、所定時間が経過することで登録処理が行われるようになる。
【０１０３】
また、所定時間が経過する前であっても、登録ボタンが押下されることで、登録処理が行われるようになる。
【０１０４】
次に、図１における管理端末１５０が実行する回収処理について図６を用いて説明する。
【０１０５】
図６は、図１における管理端末１５０が実行する回収処理の手順を示すフローチャートである。なお、本処理は、管理端末１５０のＣＰＵ２０１が所定の制御プログラムを読み出して実行することにより実現される（即ち、管理端末１５０のＣＰＵ２０１の制御のもとで実行される）処理に対応する。
【０１０６】
図６において、まず、管理端末１５０のＣＰＵ２０１は、ディスプレイ装置２１０（タッチパネルを兼ねる）や入力装置２０９への操作を判定し、管理端末１５０の入力装置２０９にカード（記録媒体１６０）がタッチされると（ステップＳ６０１）、管理端末１５０のＣＰＵ２０１は、入力装置２０９を介して記録媒体１６０に対して当該記録媒体１６０に記録されている受診者情報及び検査データ（測定値）の読取要求を送信する（ステップＳ６０２）。
【０１０７】
当該読取要求を受信した記録媒体１６０のコントローラは、受診者情報、及び検査データ（測定値）を管理端末１５０の入力装置２０９に送信する。
【０１０８】
次いで、管理端末１５０のＣＰＵ２０１は、管理端末１５０の入力装置２０９を介して一人分の受診者情報及び検査データを受信して（ステップＳ６０３）、管理端末１５０のＲＡＭ２０２等のワークエリアに記憶する（ステップＳ６０４）。
【０１０９】
次いで、管理端末１５０のＣＰＵ２０１は、ＲＡＭ２０２に記憶される受診者情報と上記一人分の検査データを照合し（ステップＳ６０５）、未受診の健診工程がないか判定し（ステップＳ６０６）、判定結果を管理端末１５０のＲＡＭ２０２等のワークエリアに記憶する。
【０１１０】
次いで、管理端末１５０のＣＰＵ２０１は、管理端末１５０のディスプレイ装置２１０に図１６に示すような検査結果及び判定結果画面を表示する（ステップＳ６０７）。図１６は、管理端末の回収処理プログラム画面の一例である。管理端末１５０のＣＰＵ２０１は、図１６の画面において、受信した受診者情報に基づいて受診者ＩＤや氏名等を表示し、ステップＳ６０６の判定結果に基づいて受診済みか否かを表示する。
【０１１１】
なお、図１６に示す画面では、血液検査が未受診であり、それ以外の健診項目については受診済みであることを示している。
【０１１２】
図６に戻り、管理端末１５０のＣＰＵ２０１は、図１６の画面の各ボタン（表示切替ボタン、印刷ボタン、登録ボタン）のタッチ（押下）を検知し（操作判定し）、表示切替ボタンが押下（タッチ）されたか否かを判別する（ステップＳ６０８）。表示切替ボタンが押下されたときは（ステップＳ６０８：ＹＥＳ）、管理端末１５０のＣＰＵ２０１は、図１６の初期画面がディスプレイ装置２１０に表示されていた場合は、健診データ明細表示画面（不図示）に表示を切り替える。健診データ明細表示画面が表示されていた場合は、図１６の初期画面に表示を切り替える（ステップＳ６０９）。そして、処理をステップＳ６０８に戻す。
【０１１３】
ステップＳ６０８の判別の結果、表示切替ボタンが押下されないときは（ステップＳ６０８でＮＯ）、印刷ボタンが押下（タッチ）されたか否かを判別する（ステップＳ６１０）。印刷ボタンが押下されたときは、（ステップＳ６１０でＹＥＳ）、管理端末１５０のＣＰＵ２０１は、ＲＡＭ２０２等に記憶した受診者情報及び検査データに基づいて、受診者個人用の結果リストを印刷し（ステップＳ６１１）、処理をステップＳ６０８に戻す。
【０１１４】
ステップＳ６１０の判別の結果、印刷ボタンが押下されないときは（ステップＳ６１０でＮＯ）、登録ボタンが押下（タッチ）されたか否かを判別し（ステップＳ６１２）、登録ボタンが押下されないときは（ステップＳ６１２でＮＯ）、処理をステップＳ６０８に戻す。
【０１１５】
ステップＳ６１２の判別の結果、登録ボタンが押下されたときは（ステップＳ６１２でＹＥＳ）、管理端末１５０のＣＰＵ２０１は、ステップＳ６０６における各検査データの検査漏れの判定結果に基づいて、未受診の項目があるか否かを判別し（ステップＳ６１３）、未受診の項目がある場合は（ステップＳ６１３でＹＥＳ）、管理端末１５０のＣＰＵ２０１は、管理端末１５０の不図示のスピーカーから警告音を出力し、管理端末１５０のディスプレイ装置２１０に未受診である健診工程の名称と受診者ＩＤ及び氏名、再度該当する健診工程に行くように促すメッセージ（不図示）を表示し（ステップＳ６１４）、処理をステップＳ６１５に進める。
【０１１６】
ステップＳ６１３の判別の結果、未健診項目がないときは（ステップＳ６１３でＮＯ）、管理端末１５０のＣＰＵ２０１は、健診結果ファイルに１人分の検査データ及び通過記録データを記憶する（ステップＳ６１５）。
【０１１７】
次いで、管理端末１５０のＣＰＵ２０１は処理をステップＳ６１６に移行する。なお、ステップＳ６１６の料金計算処理の詳細については、図７のフローチャートを用いて説明する。
【０１１８】
図７は、図６におけるステップＳ７１６の料金計算処理の詳細を示すフローチャートである。なお、本フローチャートの処理は、管理端末１５０のＣＰＵ２０１が所定の制御プログラムを読み出して実行することにより実現される（即ち、管理端末のＣＰＵ２０１の制御のもとで実行される）処理に対応する。
【０１１９】
ステップＳ７０１は、検査データから受診済みの健診項目を検索する。
【０１２０】
次いで、ステップＳ７０２では、ステップＳ７０１で取得した受診済みの健診項目に対応する料金を、図１９に示す料金表に基づき取得する。
【０１２１】
次いで、ステップＳ７０３では、ステップＳ７０２で取得した料金の合計を基本料金に加算することで、健診料金を算出する。
【０１２２】
また、計算された健診料金及びその内訳を管理端末１５０のディスプレイ装置２１０に表示させても良い。
【０１２３】
図７の料金計算処理によれば、受診者の属性や受診した健診項目に応じて受診者毎にそれぞれ健診料金の計算を行うことが可能となる。
【０１２４】
上述した本実施の形態では、ディスプレイ装置２１０をタッチパネル付きのディスプレイとして説明したが、ディスプレイ装置２１０を通常のディスプレイとし、マウス等のポインティングデバイスを設けて入力を行うように構成してもよい。
【０１２５】
また、上述した各種データの構成及びその内容はこれに限定されるものではなく、用途や目的に応じて、様々な構成や内容で構成されてもよい。
【０１２６】
また、本発明は、例えば、システム、装置、方法、プログラム若しくは記録媒体等としての実施の態様をとることが可能であり、具体的には、複数の機器から構成されるシステムに適用してもよく、一つの機器からなる装置に適用してもよい。
【０１２７】
上述したように、図１に示した健診工程端末は、図１２、図１３に示した関連付情報ファイル、各健診機器とのインタフェース設定、各処理プログラム、及び各健診機器の設定情報を少なくとも記憶する。そして、健診工程端末のＣＰＵ２０１は、図１５に示した各健診メニューのいずれかの選択に応じて、上記健診機器の設定情報と上記処理プログラムとを読み出して実行する。
【０１２８】
また、管理端末１５０は、受診者情報（各健診工程の各健診データ及び通過記録データのフォーマットを含む）を記憶する。また、管理端末１５０のＣＰＵ２０１は、記録媒体１６０から受診者ＩＤと、上記健診データを読み出し、上記フォーマットと上記健診データとに基づいて検査洩れの有無を判定し、検査漏れがあると判定した場合に、検査漏れと判定した健診工程の健診データ復旧の要否を上記フォーマットに基づいて判定する（図９）。
【０１２９】
また、健診工程端末のＣＰＵ２０１は、各健診工程別の各健診機器別の設定情報を記憶し、上記処理プログラム（図１２、図１３）は、上記各メニューを選択した場合に当該選択した健診工程における複数の健診機器から１つを選択させて、当該選択された健診機器に関連付けられた設定情報を読み出して処理を実行する。
【０１３０】
以上の構成により、複数の処理プログラムを健診工程端末の記憶してメニューの選択に応じて所定の健診機器の設定を読み込んで対応する処理プログラムを健診工程端末のＣＰＵ２０１で実行するので、現有する様々な種類の健診機器及び様々な外部インタフェースに柔軟に対応可能で健診時の準備工数を大幅に削減可能な仕組みを提供することができる。
【０１３１】
なお、特に図示しないが、本発明に係る装置で読み取り可能な各種プログラムやデータを格納する記録媒体（記憶媒体）には、該記録媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１３２】
さらに、各種プログラムに従属するデータも上記ディレクトリに管理されている。また、インストールするプログラムやデータが圧縮されている場合に、解凍するプログラム等も記憶される場合もある。
【０１３３】
本実施の形態における各フローチャート、及び画面に示す機能が外部からインストールされるプログラムによって、ホストコンピュータにより遂行されていてもよい。そして、その場合、不図示のＣＤ−ＲＯＭやフラッシュメモリやＦＤ等の記録媒体により、あるいはネットワークを介して外部の記録媒体から、プログラムを含む情報群を出力装置に供給される場合でも本発明は適用されるものである。
【０１３４】
以上のように、前述した実施の形態の機能を実現するソフトウェアのプログラムコードを記録した記録媒体を、システムあるいは装置に供給し、そのシステムあるいは装置のコンピュータ（またはＣＰＵやＭＰＵ）が記録媒体に格納されたプログラムコードを読出し実行することによっても、本発明の目的が達成されることは言うまでもない。
【０１３５】
この場合、記録媒体から読み出されたプログラムコード自体が本発明の新規な機能を実現することになり、そのプログラムコードを記憶した記録媒体は本発明を構成することになる。
【０１３６】
プログラムコードを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【０１３７】
また、コンピュータが読み出したプログラムコードを実行することにより、前述した実施の形態の機能が実現されるだけでなく、そのプログラムコードの指示に基づき、コンピュータ上で稼働しているＯＳ（オペレーティングシステム）等が実際の処理の一部または全部を行い、その処理によって前述した実施の形態の機能が実現される場合も含まれることは言うまでもない。
【０１３８】
さらに、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施の形態の機能が実現される場合も含まれることは言うまでもない。
【０１３９】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウェアによって表されるプログラムを格納した記録媒体を該システムあるいは装置に読み出すことによって、そのシステムあるいは装置が、本発明の効果を享受することが可能となる。
【０１４０】
さらに、本発明を達成するためのソフトウェアによって表されるプログラムをネットワーク上のサーバ，データベース等から通信プログラムによりダウンロードして読み出すことによって、そのシステムあるいは装置が、本発明の効果を享受することが可能となる。
【符号の説明】
【０１４１】
１００  受付端末
１１０  健診機器Ａ
１１１  健診工程端末Ａ
１５０  管理端末
１６０  記録媒体
【図１】
0005793937.tif 000002
【図２】
0005793937.tif 000003
【図３】
0005793937.tif 000004
【図４】
0005793937.tif 000005
【図５】
0005793937.tif 000006
【図６】
0005793937.tif 000007
【図７】
0005793937.tif 000008
【図８】
0005793937.tif 000009
【図９】
0005793937.tif 000010
【図１０】
0005793937.tif 000011
【図１１】
0005793937.tif 000012
【図１２】
0005793937.tif 000013
【図１３】
0005793937.tif 000014
【図１４】
0005793937.tif 000015
【図１５】
0005793937.tif 000016
【図１６】
0005793937.tif 000017
【図１７】
0005793937.tif 000018
【図１８】
0005793937.tif 000019
【図１９】
0005793937.tif 000020